(57)【要約】【課題】製氷筒内に取り付け可能でありながら、氷詰まりや製氷機構部への負荷を発生させることなく、断面形状が製氷筒の内壁の形状に依存しない氷片を製造することができる、オーガ式製氷機の固定刃を提供する。【解決手段】オーガ式製氷機１の固定刃８は製氷筒２内に取り付けられ、その内部には断面形状が円形の氷通過経路７が複数形成されている。固定刃８の下端には、氷通過経路７の内側から外側に向けてテーパ状に広がるガイド部１０が形成されている。また、固定刃８の氷通過経路７は、下部氷通過経路７ａと上部氷通過経路７ｂとから構成され、下部７ａの断面積は上部７ｂの断面積よりも大きく、下部７ａと上部７ｂとの間には、下部７ａから上部７ｂに向けて断面積が減少する移行部７ｃが形成されている。【選択図】図５
2018077012.tif 000002
【特許請求の範囲】
【請求項１】
オーガ式製氷機の固定刃であって、
前記固定刃は製氷筒内に取り付けられると共に該固定刃には氷通過経路が形成され、
前記固定刃の下端には、前記氷通過経路の内側から外側に向けてテーパ状に広がるガイド部が形成されることを特徴とする、オーガ式製氷機の固定刃。
【請求項２】
前記固定刃の前記氷通過経路は、第１の氷通過経路と第２の氷通過経路とから構成され、該第１の氷通過経路の断面積は該第２の氷通過経路の断面積よりも大きく、
前記第１の氷通過経路と前記第２の氷通過経路との間には、該第１の氷通過経路から該第２の氷通過経路に向けて断面積が減少する移行部が形成されることを特徴とする、請求項１に記載のオーガ式製氷機の固定刃。
【請求項３】
前記固定刃を前記製氷筒内に取り付ける際には固定ボルトが用いられ、
前記固定ボルトは、ストレート部と該ストレート部よりも小さい外径を有するネジ部とを有し、
前記固定刃には、前記固定ボルトの前記ストレート部に対応するザグリ穴と前記固定ボルトの前記ネジ部に対応するネジ穴とが形成され、
前記固定ボルトの前記ストレート部は、前記製氷筒を貫通して前記固定刃の前記ザグリ穴に嵌合することを特徴とする、請求項１または２に記載のオーガ式製氷機の固定刃。
【発明の詳細な説明】
【技術分野】
【０００１】
この発明は、オーガ式製氷機の固定刃に関する。
【背景技術】
【０００２】
オーガ式製氷機は、オーガによって製氷筒の上部に運ばれてきた氷片を圧縮および成形するための固定刃を備えている。特許文献１には、製氷筒内に取り付け可能な固定刃（押圧頭）が記載されている。オーガによって製氷筒の内壁に沿って上昇してきた氷は、固定刃の下部で砕かれた後、固定刃と製氷筒の内壁とによって形成される氷通過経路（圧縮通路）に案内され、氷通過経路内を上昇する過程で圧縮および成形される。
【先行技術文献】
【特許文献】
【０００３】
【特許文献１】実開昭５４−１３４９５４号公報
【発明の概要】
【発明が解決しようとする課題】
【０００４】
特許文献１に記載の固定刃では、製造される氷の断面形状は製氷筒の内壁の形状に依存する。製氷筒の内壁の形状に依存しない氷を製造するために、例えば固定刃の内部に断面形状が円形の氷通過経路を形成したとすると、オーガによって製氷筒の内壁に沿って上昇してきた氷が固定刃の下端の平面部分にぶつかり、氷詰まりや製氷機構部への負荷が発生するおそれがある。
【０００５】
固定刃を製氷筒内に取り付けるのではなく、製氷筒の外部に取り付けるようにすれば上記のような問題は発生しないが、その場合には既存の製氷機構部を大きく変更する必要がある。
【０００６】
この発明は、このような問題を解決するためになされたものであり、製氷筒内に取り付け可能でありながら、氷詰まりや製氷機構部への負荷を発生させることなく、断面形状が製氷筒の内壁の形状に依存しない氷片を製造することができる、オーガ式製氷機の固定刃を提供することを目的とする。
【課題を解決するための手段】
【０００７】
上記の課題を解決するために、この発明に係るオーガ式製氷機の固定刃は製氷筒内に取り付けられると共に当該固定刃には氷通過経路が形成され、固定刃の下端には、氷通過経路の内側から外側に向けてテーパ状に広がるガイド部が形成されることを特徴とする。
【０００８】
固定刃の氷通過経路は、第１の氷通過経路と第２の氷通過経路とから構成され、第１の氷通過経路の断面積は第２の氷通過経路の断面積よりも大きく、第１の氷通過経路と第２の氷通過経路との間には、第１の氷通過経路から第２の氷通過経路に向けて断面積が減少する移行部が形成されてもよい。
【０００９】
好適には、固定刃を製氷筒内に取り付ける際には固定ボルトが用いられ、固定ボルトは、ストレート部と当該ストレート部よりも小さい外径を有するネジ部とを有し、固定刃には、固定ボルトのストレート部に対応するザグリ穴と固定ボルトのネジ部に対応するネジ穴とが形成され、固定ボルトのストレート部は、製氷筒を貫通して固定刃のザグリ穴に嵌合する。
【発明の効果】
【００１０】
この発明に係るオーガ式製氷機の固定刃によれば、製氷筒内に取り付け可能でありながら、氷詰まりや製氷機構部への負荷を発生させることなく、断面形状が製氷筒の内壁の形状に依存しない氷片を製造することができる。
【図面の簡単な説明】
【００１１】
【図１】実施の形態に係るオーガ式製氷機の構成を示す断面図である。
【図２】実施の形態に係る固定刃の構造を示す図である。
【図３】実施の形態に係る固定刃の構造を示す断面図である。
【図４】実施の形態に係る固定刃を底面から見た図である。
【図５】実施の形態に係る固定刃の作用を示す模式図である。
【図６】従来技術に係る固定刃の作用を示す模式図である。
【図７】実施の形態に係る固定ボルトの構造を示す図である。
【図８】実施の形態に係る固定ボルトの構造を示す側面図である。
【図９】実施の形態に係る固定刃のボルト穴の構造を示す断面図である。
【図１０】実施の形態に係る固定刃の取り付け構造を示す断面図である。
【図１１】実施の形態に係る固定刃の取り付け構造を示す断面図である。
【図１２】その他の実施の形態に係る固定刃の構造を示す図である。
【図１３】その他の実施の形態に係る固定刃の構造を示す図である。
【図１４】その他の実施の形態に係る固定刃の構造を示す図である。
【図１５】その他の実施の形態に係る固定刃の構造を示す図である。
【発明を実施するための形態】
【００１２】
以下、この発明の実施の形態について添付図面に基づいて説明する。
実施の形態．
図１に示されるように、オーガ式製氷機１は製氷筒２を備えており、製氷筒２の外壁には、冷凍回路（図示せず）から送り込まれる冷媒が流通する蒸発パイプ３が巻きつけられている。また、製氷筒２の内部には、螺旋刃４を有するオーガ５が配置されている。オーガ５はギヤドモータ（図示せず）によって回転駆動される。オーガ５の上下端には、上部軸部６および下部軸部（図示せず）が一体に形成されている。また、製氷筒２の上部の内壁には、固定刃８が固定ボルト９によって取り付けられている。
【００１３】
図２〜４に示されるように、固定刃８の内部には、断面形状が円形の氷通過経路７が複数形成されている。氷通過経路７は、下部氷通過経路７ａと上部氷通過駅路７ｂとから構成されており、下部氷通過経路７ａの断面積は上部氷通過経路７ｂの断面積よりも大きく形成されている。また、下部氷通過経路７ａと上部氷通過経路７ｂとの間には、下部から上部に向けて断面積が減少する移行部７ｃが形成されている。図５に示されるように、移行部７ｃの断面形状は下部から上部に向けて角度θで直線的に傾斜している。さらに、固定刃８の氷通過経路７の下端には、当該氷通過経路７の内側から外側に向けてテーパ状に広がるガイド部１０が形成されている。
【００１４】
次に、この発明の実施の形態に係るオーガ式製氷機１の固定刃８の作用について説明する。
オーガ式製氷機１の製氷運転時には、製氷筒２の内部に製氷用水が供給され、この製氷用水が蒸発パイプ３内の冷媒によって冷却されると、製氷筒２の内壁に氷膜が成長する。この成長した氷膜は回転するオーガ５の螺旋刃４によって削り取られる（図１参照）。そして、図５に示されるように製氷筒２の内壁に沿って上方に送られ、固定刃８の下端からテーパ状のガイド部１０に沿ってスムーズに氷通過経路７に案内される。なお、テーパ状のガイド部１０は上部に向かうにつれて断面積が減少していくため、その過程で氷は少し圧縮される。
【００１５】
氷通過経路７内に案内された氷は、まず下部氷通過経路７ａを上昇する過程で経路７ａの内面の摩擦抵抗を受けて上下方向に圧縮されると共に経路７ａの断面形状に沿って成形された後、移行部７ｃの角度θを有する部分で抵抗を受け、さらに圧縮される。これにより、下部氷通過経路７ａを通過した後の氷の硬さや含氷率を移行部７ｃの部分でさらに細かく調整することができる。なお、移行部７ｃの角度θを大きくすると、下部氷通過経路７ａを上昇してくる氷が受ける抵抗が大きくなり、氷の硬さや含氷率が増加する。
【００１６】
移行部７ｃを通過した氷は、今度は上部氷通過経路７ｂを上昇する過程で経路７ｂの断面形状に沿って成形され、断面形状が円形の氷片となって押し出される。この断面形状が円形の氷片は、オーガ５と一体に回転するカッター体１１のテーパ部１２（図１参照）によって適当な長さに切断され、製氷筒２の上端に設けられた氷放出口（図示せず）から外部に放出される。
【００１７】
以上説明したように、この発明の実施の形態に係るオーガ式製氷機１の固定刃８では、その下端に氷通過経路７の内側から外側に向けてテーパ状に広がるガイド部１０が形成されている。先述したように、従来では製氷筒内に取り付ける固定刃の内部に断面形状が円形の氷通過経路を形成すると、図６に示されるように製氷筒６０２の内壁に沿って上昇してきた氷が固定刃６０８の下端の平面部分６１０にぶつかってしまい、氷詰まりや製氷機構部への負荷が発生するおそれがあった。
【００１８】
これに対して、この発明の実施の形態に係る固定刃８では、オーガ５によって製氷筒２の内壁に沿って上昇してきた氷は、図５に示されるように固定刃８の下端からテーパ状のガイド部１０に沿ってスムーズに氷通過経路７に案内される。これにより、氷詰まりや製氷機構部への負荷を発生させることなく、断面形状が円形の氷片を製造することができる。なお、氷通過経路７の断面形状は円形に限定されるものではなく、半円形や任意の多角形等でもよい。すなわち、本願発明に係る固定刃では、製氷筒２内に取り付け可能でありながら、製氷筒２の内壁の形状に依存しない任意の断面形状の氷片を製造することができる。
【００１９】
また、下部氷通過経路７ａと上部氷通過経路７ｂとの間には、下部から上部に向けて断面積が減少する移行部７ｃが形成されており、この移行部７ｃの角度θを調整することによって、氷の硬さや含氷率を自在に調整することができる。これにより、下部氷通過経路７ａの断面積に比べて上部氷通過経路７ｂの断面積を過度に小さくしなくても、氷の硬さや含氷率を調整することができる。そのため、氷の硬さや含氷率を調整するために氷の断面形状が制約を受けることがない。
【００２０】
次に、この発明の実施の形態に係るオーガ式製氷機１の固定刃８の取り付け構造について説明する。
【００２１】
先述したように、固定刃８を製氷筒２の上部の内壁に取り付ける際には、固定ボルト９が用いられる。図７，８に示されるように、固定ボルト９は、長いストレート部９ａと、ストレート部９ａよりも小さい外径を有するネジ部９ｂと、頭部９ｃとから構成されている。また、図９に示されるように、固定刃８のボルト穴１３は、固定ボルト９のストレート部９ａに対応するザグリ穴１３ａと、固定ボルト９のネジ部９ｂに対応するネジ穴１３ｂとから構成されている。
【００２２】
図１０に示されるように、固定ボルト９によって固定刃８を取り付ける際には、固定ボルト９のストレート部９ａが製氷筒２を貫通し、固定刃８のザグリ穴１３ａに嵌合する。なお、製氷筒２の貫通孔と固定刃８のザグリ穴１３ａは、固定ボルト９のストレート部９ａの外径よりもわずかに大きくなっており、取り付け時の遊びが少なくなっている
【００２３】
オーガ式製氷機１の製氷運転時には、固定刃８の底部に力Ａが加わり、固定ボルト９には固定刃８から加わる力Ｂと製氷筒２が保持する反力Ｃによってせん断力が加わる。このせん断力は固定ボルト９のストレート部９ａによって保持され、固定ボルト９の先端のネジ部９ｂにはせん断力は加わらず、締め付け力（軸力）のみが加わる。
【００２４】
従来用いられている通常の固定ボルトでは、ストレート部だけでなくネジ部にもせん断力が加わって折れたり曲がったりすることがあったが、本願発明に係る固定ボルト９では、ネジ部９ｂにせん断力が加わることがないため、ネジ部９ｂが折れたり曲がったりすることがない。また、固定ボルト９のストレート部９ａは製氷筒２を貫通しているため、固定ボルト９のネジ部９ｂが製氷筒２の貫通孔の内面を傷つけることもない。
【００２５】
さらに、固定ボルト９のネジ部９ｂには締め付け力（軸力）のみが加わりせん断力は加わらないため、その外径はストレート部９ａの外径よりも小さくてよい。そのため、図１１に示されるように、固定刃８を固定するスペース（幅）が狭い場合でも、固定ボルト９のネジ部９ｂが氷通過経路７まではみ出すことなく、固定刃８を固定することができる。
【００２６】
その他の実施の形態．
次に、この発明のその他の実施の形態に係る固定刃について説明する。
上記の実施の形態に係る固定刃８は一体の部材によって構成されていたが、これを別部材によって構成してもよい。図１２，１３に示される例では、固定刃２０８は、下部氷通過経路２０７ａを有する下部固定刃２０８ａと、上部氷通過経路２０７ｂを有する上部固定刃２０８ｂという２つの部材から構成されている。
【００２７】
下部固定刃２０８ａではオーガ５から固定刃内への氷の案内（および圧縮）が行われ、上部固定刃２０８ｂでは氷の成形が行われる。また、下部２０８ａの氷通過経路２０７ａの開口部と上部２０８ｂの氷通過経路２０７ｂの開口部とは等しくなるように形成されており、氷を下部２０８ａから上部２０８ｂへと案内する間には氷の断面形状の成形のみが行われる。なお、下部２０８ａと上部２０８ｂとで開口部の断面積を変更すれば、氷の硬さや含氷率の調整も可能である。
【００２８】
このように下部２０８ａと上部２０８ｂとで固定刃２０８の役割を分けることにより、氷の断面形状の自由度が増大すると共に、下部２０８ａと上部２０８ｂとを別個に加工することができるために加工が行いやすくなる。また、氷詰まり等の不具合が発生した際にも、その対処を別個に実施することができる。なお、図１２，１３に示される例では、上部固定刃２０８ｂの氷通過経路２０７ｂの断面形状は円形であるが、氷通過経路２０７ｂの断面形状は半円形や任意の多角形等でもよい。
【００２９】
また、下部固定刃２０８ａの形状についても、その下端は鋭角になっていてもよいし（図１４）、あるいは細刃が無くてもよい（図１５）。これらにより、氷の硬さや氷含率等を調整することができる。
【符号の説明】
【００３０】
１  オーガ式製氷機、２  製氷筒、７，２０７  氷通過経路、７ａ，２０７ａ，３０７ａ，４０７ａ  下部氷通過経路（第１の氷通過経路）、７ｂ，２０７ｂ，３０７ｂ，４０７ｂ  上部氷通過経路（第２の氷通過経路）、７ｃ  移行部、８，２０８，３０８，４０８  固定刃、２０８ａ，３０８ａ，４０８ａ  下部固定刃、２０８ｂ，３０８ｂ，４０８ｂ  上部固定刃、１０  ガイド部。
【図１】
2018077012.tif 000003
【図２】
2018077012.tif 000004
【図３】
2018077012.tif 000005
【図４】
2018077012.tif 000006
【図５】
2018077012.tif 000007
【図６】
2018077012.tif 000008
【図７】
2018077012.tif 000009
【図８】
2018077012.tif 000010
【図９】
2018077012.tif 000011
【図１０】
2018077012.tif 000012
【図１１】
2018077012.tif 000013
【図１２】
2018077012.tif 000014
【図１３】
2018077012.tif 000015
【図１４】
2018077012.tif 000016
【図１５】
2018077012.tif 000017